(57)【要約】      （修正有）【課題】手書き入力ウィンドウ等の入力支援窓を表示して、文字入力領域への文字の入力を支援する装置において、入力支援窓の移動に際してのユーザの利便性を向上させる。【解決手段】入力支援ウィンドウ（入力支援窓）を移動する間、入力支援ウィンドウの一部のみの表示として、入力支援ウィンドウの一辺に相当する入力支援バーｉｓ３に表示形態を変更する。これにより、基準サイズの入力支援窓を示した場合には、入力支援窓に重畳されて隠れる位置にある画像を可視化する。【選択図】図１２
2014021621.tif 000002
【特許請求の範囲】
【請求項１】
文字入力領域への文字の入力を支援すべく、表示位置を移動させることが可能な入力支援窓を、予め設定されている基準サイズで、表示領域に表示している画像上に重畳表示し、前記入力支援窓内の位置の指示を受け付け、受け付けた指示に基づいて入力する文字を決定する入力支援装置であって、
前記入力支援窓を移動させる操作を受け付ける手段と、
前記移動させる操作に基づいて、前記入力支援窓を移動する間、前記基準サイズの入力支援窓により重畳される画像を可視化する可視化手段と
を備えることを特徴とする入力支援装置。
【請求項２】
請求項１に記載の入力支援装置であって、
前記可視化手段は、前記入力支援窓の一部を非表示として可視化する
ことを特徴とする入力支援装置。
【請求項３】
請求項１又は請求項２に記載の入力支援装置であって、
前記入力支援窓は、多角形状をなし、
前記可視化手段は、前記入力支援窓の一辺の表示により可視化する
ことを特徴とする入力支援装置。
【請求項４】
請求項１から請求項３までのいずれか１項に記載の入力支援装置であって、
前記入力支援窓を狭小化させる操作を受け付ける手段と、
前記狭小化させる操作に基づいて、前記入力支援窓を狭小化する狭小化手段と
を更に備え、
前記可視化手段は、前記狭小化手段により狭小化していない入力支援窓を移動する場合に、重畳される画像を可視化する
ことを特徴とする入力支援装置。
【請求項５】
請求項４に記載の入力支援装置であって、
狭小化した入力支援窓の大きさを基準サイズに復元させる操作を受け付ける手段と、
復元させる操作に基づいて、前記入力支援窓の大きさを復元する手段と、
大きさを復元した入力支援窓の全体を前記表示領域内に表示すべく、復元した入力支援窓の表示位置を調整する手段と
を更に備えることを特徴とする請求項４に記載の入力支援装置。
【請求項６】
請求項４又は請求項５に記載の入力支援装置であって、
前記表示領域における表示の向きを変更する手段と、
表示の向きを変更した場合に、前記入力支援窓を狭小化して、前記表示領域内で予め設定されている所定の位置に表示する手段と
を備えることを特徴とする入力支援装置。
【請求項７】
請求項４から請求項６までのいずれか１項に記載の入力支援装置であって、
前記表示領域に前記文字入力領域の表示を開始した場合に、狭小化した入力支援窓を、前記表示領域内で予め設定されている所定の位置に表示する手段を備えることを特徴とする入力支援装置。
【請求項８】
請求項１から請求項７までのいずれか１項に記載の入力支援装置であって、
前記入力支援窓内で指示された位置の軌跡に基づいて入力する文字を決定する手段を備えることを特徴とする入力支援装置。
【請求項９】
文字入力領域への文字の入力を支援すべく、表示位置を移動させることが可能な入力支援窓を、予め設定されている基準サイズで、表示領域に表示している画像上に重畳表示し、前記入力支援窓内の位置の指示を受け付け、受け付けた指示に基づいて入力する文字を決定する入力支援装置を用いた入力支援方法であって、
前記入力支援装置は、
前記入力支援窓を移動させる操作を受け付けるステップと、
前記移動させる操作に基づいて、前記入力支援窓を移動する間、前記基準サイズの入力支援窓により重畳される画像を可視化するステップと
を実行することを特徴とする入力支援方法。
【請求項１０】
表示領域を有する表示部、及び前記表示領域上の位置を指示する入力を受け付ける入力部を備えるコンピュータに、前記表示領域に表示された文字入力領域への文字の入力を支援すべく、表示位置を移動させることが可能な入力支援窓を、予め設定されている基準サイズで、前記表示領域に表示されている画像上に重畳表示し、前記入力支援窓内の位置の指示を受け付け、受け付けた指示に基づいて入力する文字を決定させる入力支援プログラムであって、
コンピュータに、
前記入力支援窓を移動させる操作を受け付ける手順と、
前記移動させる操作に基づいて、前記入力支援窓を移動する間、前記基準サイズの入力支援窓により重畳される画像を可視化する手順と
を実行させることを特徴とする入力支援プログラム。
【請求項１１】
表示領域を有する表示部、及び前記表示領域上の位置を指示する入力を受け付ける入力部を備えるコンピュータに、前記表示領域に表示された文字入力領域への文字の入力を支援すべく、表示位置を移動させることが可能な入力支援窓を、予め設定されている基準サイズで、前記表示領域に表示されている画像上に重畳表示し、前記入力支援窓内の位置の指示を受け付け、受け付けた指示に基づいて入力する文字を決定させる入力支援プログラムを記録してある、コンピュータでの読み取りが可能な記録媒体であって、
コンピュータに、
前記入力支援窓を移動させる操作を受け付ける手順と、
前記移動させる操作に基づいて、前記入力支援窓を移動する間、前記基準サイズの入力支援窓により重畳される画像を可視化する手順と
を実行させる入力支援プログラムを記録してあることを特徴とするコンピュータでの読み取りが可能な記録媒体。
【発明の詳細な説明】
【技術分野】
【０００１】
本発明は、文字入力領域への文字の入力を支援すべく、入力支援窓を表示領域に表示している画像上に重畳表示し、前記入力支援窓内の位置の指示を受け付け、受け付けた指示に基づいて入力する文字を決定する入力支援装置、そのような入力支援装置を用いた入力支援方法、そのような入力支援装置を実現するための入力支援プログラム、及びそのような入力支援プログラムを記録してあるコンピュータでの読み取りが可能な記録媒体に関する。
【背景技術】
【０００２】
タッチパネルを用いて文字等の情報を入力する携帯端末装置等の様々な電子機器が普及している（例えば、特許文献１参照。）。
【０００３】
図１８は、タッチパネルを有する携帯端末装置に表示される画像の一例を示す説明図である。タッチパネルを有する携帯端末装置では、検索語句を入力する入力欄ｉｎへの文字の入力を支援する入力支援窓として、例えば、手書き入力ウィンドウｉｓが表示される。このような手書き入力ウィンドウｉｓが表示された携帯端末装置に対しては、手書き入力ウィンドウｉｓが表示されている画面に、ユーザがタッチペンにて触れることにより、文字を入力することができる。
【０００４】
ところが、手書き入力ウィンドウｉｓは、画面に表示されている他の画像上に重畳して表示されるため、必要な情報が、手書き入力ウィンドウｉｓに隠れて視認することができない場合がある。このような場合、必要な情報が隠れないように、ユーザが手書き入力ウィンドウを適切な位置に移動させることになる。
【先行技術文献】
【特許文献】
【０００５】
【特許文献１】特開２０１１−１２３５７５号公報
【発明の概要】
【発明が解決しようとする課題】
【０００６】
しかしながら、手書き入力ウィンドウの移動時においても、他の画像上に重畳された状態で移動するため、適切な位置を判断し難いという利便性に関する問題がある。このような問題は、画面の大きさに制約がある携帯型の端末装置において特に顕著になる。
【０００７】
本発明はこのような状況に鑑みてなされたものであり、手書き入力ウィンドウ等の入力支援窓を移動する間、入力支援窓により重畳される画像を可視化することにより、ユーザの利便性を高めることが可能な入力支援装置の提供を目的とする。
【０００８】
また、本発明は、本発明に係る入力支援装置を適用することによって、ユーザの利便性を高めることが可能な表示処理方法の提供を他の目的とする。
【０００９】
また、本発明は、本発明に係る入力支援装置を実現する入力支援プログラムの提供を他の目的とする。
【００１０】
また、本発明は、本発明に係る入力支援プログラムを記録してある記録媒体の提供を他の目的とする。
【課題を解決するための手段】
【００１１】
上記問題を解決するため、本発明に係る入力支援装置は、文字入力領域への文字の入力を支援すべく、表示位置を移動させることが可能な入力支援窓を、予め設定されている基準サイズで、表示領域に表示している画像上に重畳表示し、前記入力支援窓内の位置の指示を受け付け、受け付けた指示に基づいて入力する文字を決定する入力支援装置であって、前記入力支援窓を移動させる操作を受け付ける手段と、前記移動させる操作に基づいて、前記入力支援窓を移動する間、前記基準サイズの入力支援窓により重畳される画像を可視化する可視化手段とを備えることを特徴とする。
【００１２】
したがって、本発明では、移動中の入力支援窓により重畳される画像を可視化することにより、ユーザは、表示領域に表示されている画像のうち、基準サイズで通常表示した入力支援窓であれば隠れる画像を視認しながら、入力支援窓を移動させることができる。
【００１３】
また、本発明に係る入力支援装置は、前記可視化手段は、前記入力支援窓の一部を非表示として可視化することを特徴とする。
【００１４】
したがって、本発明では、ユーザは、非表示とした部分から、基準サイズの入力支援窓であれば隠れる画像を視認することができ、しかも一部のみを非表示とすることにより、ユーザは、入力支援窓を基準サイズに復元した場合に、どの画像が入力支援窓により隠されるかを認識しながら移動させることができる。
【００１５】
また、本発明に係る入力支援装置は、前記入力支援窓は、多角形状をなし、前記可視化手段は、前記入力支援窓の一辺の表示により可視化することを特徴とする。
【００１６】
したがって、本発明では、入力支援窓の一辺を表示することにより、ユーザは、入力支援窓を基準サイズに復元した場合に、どの画像が入力支援窓により隠されるかを認識しながら移動させることができる。
【００１７】
また、本発明に係る入力支援装置は、前記入力支援窓を狭小化させる操作を受け付ける手段と、前記狭小化させる操作に基づいて、前記入力支援窓を狭小化する狭小化手段とを更に備え、前記可視化手段は、前記狭小化手段により狭小化していない入力支援窓を移動する場合に、重畳される画像を可視化することを特徴とする。
【００１８】
したがって、本発明では、入力支援窓を狭小化することで、重畳による影響を小さくすることができる。
【００１９】
また、本発明に係る入力支援装置は、狭小化した入力支援窓の大きさを基準サイズに復元させる操作を受け付ける手段と、復元させる操作に基づいて、前記入力支援窓の大きさを復元する手段と、大きさを復元した入力支援窓の全体を前記表示領域内に表示すべく、復元した入力支援窓の表示位置を調整する手段とを更に備えることを特徴とする。
【００２０】
したがって、本発明では、入力支援窓の全体が表示領域内に入るように表示位置を調整して復元することにより、例えば、復元した入力支援窓の一部が表示領域内に入っておらず、移動させなければならないというようなユーザの手間を省き、利便性を高めることができる。
【００２１】
また、本発明に係る入力支援装置は、前記表示領域における表示の向きを変更する手段と、表示の向きを変更した場合に、前記入力支援窓を狭小化して、前記表示領域内で予め設定されている所定の位置に表示する手段とを備えることを特徴とする。
【００２２】
したがって、本発明では、表示の向きを変更後、所定の位置に狭小化した入力支援窓が表示されているので、ユーザの利便性を高めることができる。
【００２３】
また、本発明に係る入力支援装置は、前記表示領域に前記文字入力領域の表示を開始した場合に、狭小化した入力支援窓を、前記表示領域内で予め設定されている所定の位置に表示する手段を備えることを特徴とする。
【００２４】
したがって、本発明では、文字入力を開始する場合に、所定の位置に狭小化した入力支援窓が表示されているので、ユーザの利便性を高めることができる。
【００２５】
また、本発明に係る入力支援装置は、前記入力支援窓内で指示された位置の軌跡に基づいて入力する文字を決定する手段を備えることを特徴とする。
【００２６】
したがって、本発明では、いわゆる手書き入力を行うことができる。
【００２７】
本発明に係る入力支援方法は、文字入力領域への文字の入力を支援すべく、表示位置を移動させることが可能な入力支援窓を、予め設定されている基準サイズで、表示領域に表示している画像上に重畳表示し、前記入力支援窓内の位置の指示を受け付け、受け付けた指示に基づいて入力する文字を決定する入力支援装置を用いた入力支援方法であって、前記入力支援装置は、前記入力支援窓を移動させる操作を受け付けるステップと、前記移動させる操作に基づいて、前記入力支援窓を移動する間、前記基準サイズの入力支援窓により重畳される画像を可視化するステップとを実行することを特徴とする。
【００２８】
したがって、本発明では、移動中の入力支援窓により重畳される画像を可視化することにより、ユーザは、表示領域に表示されている画像のうち、基準サイズの入力支援窓であれば隠れる画像を視認しながら、入力支援窓を移動させることができる。
【００２９】
本発明に係る入力支援プログラムは、表示領域を有する表示部、及び前記表示領域上の位置を指示する入力を受け付ける入力部を備えるコンピュータに、前記表示領域に表示された文字入力領域への文字の入力を支援すべく、表示位置を移動させることが可能な入力支援窓を、予め設定されている基準サイズで、前記表示領域に表示されている画像上に重畳表示し、前記入力支援窓内の位置の指示を受け付け、受け付けた指示に基づいて入力する文字を決定させる入力支援プログラムであって、コンピュータに、前記入力支援窓を移動させる操作を受け付ける手順と、前記移動させる操作に基づいて、前記入力支援窓を移動する間、前記基準サイズの入力支援窓により重畳される画像を可視化する手順とを実行させることを特徴とする。
【００３０】
本発明に係る入力支援プログラムは、コンピュータにて実行することにより、コンピュータが本発明に係る入力支援装置として機能する。したがって、移動中の入力支援窓により重畳される画像を可視化するので、ユーザは、表示領域に表示されている画像のうち、基準サイズで通常表示した入力支援窓であれば隠れる画像を視認しながら、入力支援窓を移動させることができるので、適切な位置に入力支援窓を配置させることが可能となる。
【００３１】
本発明に係るコンピュータでの読み取りが可能な記録媒体は、表示領域を有する表示部、及び前記表示領域上の位置を指示する入力を受け付ける入力部を備えるコンピュータに、前記表示領域に表示された文字入力領域への文字の入力を支援すべく、表示位置を移動させることが可能な入力支援窓を、予め設定されている基準サイズで、前記表示領域に表示されている画像上に重畳表示し、前記入力支援窓内の位置の指示を受け付け、受け付けた指示に基づいて入力する文字を決定させる入力支援プログラムを記録してある、コンピュータでの読み取りが可能な記録媒体であって、コンピュータに、前記入力支援窓を移動させる操作を受け付ける手順と、前記移動させる操作に基づいて、前記入力支援窓を移動する間、前記基準サイズの入力支援窓により重畳される画像を可視化する手順とを実行させる入力支援プログラムを記録してあることを特徴とする。
【００３２】
本発明に係る記録媒体は、記録されているプログラムをコンピュータにて読み取って実行することにより、コンピュータが本発明の入力支援装置として機能する。したがって、移動中の入力支援窓により重畳される画像を可視化するので、ユーザは、表示領域に表示されている画像のうち、基準サイズで通常表示した入力支援窓であれば隠れる画像を視認しながら、入力支援窓を移動させることができる。
【発明の効果】
【００３３】
本発明に係る入力支援装置、入力支援方法、入力支援プログラム及び記録媒体は、文字入力支援窓を表示領域に表示されている画像上に重畳表示して、文字の入力を支援する際に、入力支援窓を移動する間、入力支援窓により重畳される画像を可視化する。これにより、ユーザは、表示領域に表示されている画像のうち、基準サイズで通常表示した入力支援窓であれば隠れる画像を視認しながら入力支援窓を移動させることができる。したがって、ユーザは、入力支援窓の使用に際し、必要な画像が隠れない適切な位置に入力支援窓を配置することができるので、ユーザの利便性を高めることが可能である等、優れた効果を奏する。
【図面の簡単な説明】
【００３４】
【図１】本発明に係る入力支援装置の一例を示す概略斜視図である。
【図２】本発明に係る入力支援装置のシステム構成の一例を示すブロック図である。
【図３】本発明の入力支援装置の表示領域に表示された画像の一例を示す説明図である。
【図４】本発明の入力支援装置のコンテンツ使用開始処理の一例を示すフローチャートである。
【図５】本発明の入力支援装置の表示領域に表示された画像の一例を示す説明図である。
【図６】本発明の入力支援装置の入力支援アイコンの移動処理の一例を示すフローチャートである。
【図７】本発明の入力支援装置の表示領域に表示された画像の一例を示す説明図である。
【図８】本発明の入力支援装置の入力支援ウィンドウの復元処理の一例を示すフローチャートである。
【図９】本発明の入力支援装置の表示領域に表示された画像の一例を示す説明図である。
【図１０】本発明の入力支援装置の手書き入力処理の一例を示すフローチャートである。
【図１１】本発明の入力支援装置の入力支援ウィンドウの移動処理の一例を示すフローチャートである。
【図１２】本発明の入力支援装置の表示領域に表示された画像の一例を示す説明図である。
【図１３】本発明の入力支援装置の表示領域に表示された画像の一例を示す説明図である。
【図１４】本発明の入力支援装置の表示領域に表示された画像の一例を示す説明図である。
【図１５】本発明の入力支援装置の表示領域に表示された画像の一例を示す説明図である。
【図１６】本発明の入力支援装置の表示方向変更処理の一例を示すフローチャートである。
【図１７】本発明の入力支援装置の表示領域に表示された画像の一例を示す説明図である。
【図１８】タッチパネルを有する携帯端末装置に表示される画像の一例を示す説明図である。
【発明を実施するための形態】
【００３５】
以下、本発明の実施の形態について図面を参照しながら説明する。なお、以下の実施の形態は、本発明を具現化した例であって、本発明の技術的範囲を限定する性格のものではない。
【００３６】
本発明に係る入力支援装置は、例えば、コンピュータの一種である電子辞書等の小型携帯型学習装置として具現化することができ、本実施の形態では、電子辞書として具現化した本発明の入力支援装置を例にとって説明する。
【００３７】
まず、本発明の入力支援装置の全体構成について説明する。図１は、本発明に係る入力支援装置の一例を示す概略斜視図である。
【００３８】
図１に示す入力支援装置１００は、筐体１１０を備え、筐体１１０には、液晶タッチパネル等の表示入力部１２０が設けられている。表示入力部１２０は、矩形薄膜状の液晶パネル等の表示部１２１と、矩形薄膜状のタッチパネル等の入力部１２２とを重畳して形成されており、表示部１２１は、画像を表示する矩形状の表示領域１２１ａを有している。表示部１２１は、液晶パネルに限らず、有機ＥＬパネル、プラズマパネル等の表示部品を用いて構成することができる。入力部１２２は、赤外線を用いた接触センサ、感圧センサ、静電容量センサ等の各種センサを用いて構成され、表示領域１２１ａに対して、指、又はタッチペン等の入力具１３０が接触した場合に、その接触位置を入力位置として検出する。
【００３９】
また、筐体１１０は、表示部１２１の周囲に、キー入力操作を受け付ける操作部１４０を更に有している。操作部１４０には、ユーザによる入力操作を受け付ける各種入力キー１４１が設けられている。入力キー１４１としては、「前見出」、「次見出」、「クリア」、「ＨＯＭＥ」、「戻る」、「決定」と示された操作の内容を入力する操作キー１４１ａ、方向を入力する方向キー１４１ｂ、「辞書」として後述するコンテンツＣを呼び出すコンテンツキー１４１ｃ、各種機能を呼び出す機能キー１４１ｄが配設されている。これらの各種入力キー１４１は、ユーザの指、又はタッチペン等の入力具１３０による押圧又は接触を検出することにより、ユーザからの入力操作を命令として受け付ける。
【００４０】
また、筐体１１０は、側部にメモリスロット等の補助記憶部１５０を有しており、フラッシュメモリを用いたＳＤメモリーカード等の記録媒体ＲＥＣを挿入することにより、記録媒体ＲＥＣに対してアクセスし、情報の読み書きをすることができる。なお、記録媒体ＲＥＣとしては、フラッシュメモリ等の半導体メディアに限らず、ＣＤ−ＲＯＭ、ＤＶＤ−ＲＯＭ等の光学メディア等、情報を記録する様々な媒体を用いることが可能である。
【００４１】
図２は、本発明に係る入力支援装置１００のシステム構成の一例を示すブロック図である。入力支援装置１００は、装置全体を制御する制御ユニット１６０を備えている。制御ユニット１６０は、表示入力部１２０の表示部１２１及び入力部１２２、各種入力キー１４１並びに補助記憶部１５０に接続されている。さらに、入力支援装置１００は、加速度センサ等の方向検出部１７０を備えており、方向検出部１７０が検出した入力支援装置１００の方向を示す縦向き、横向き等の情報は、検出方向情報として、制御ユニット１６０へ出力される。
【００４２】
また、制御ユニット１６０は、制御部１６１、記録部１６２等の各種機構を備えている。
【００４３】
制御部１６１は、ＣＰＵ（Central Processing Unit ）等の情報処理回路、時計回路等の各種回路を備え、制御ユニット１６０の本体として、入力支援装置１００の処理全般を制御する。
【００４４】
記録部１６２は、不揮発性メモリであるＲＯＭ（Read Only Memory）１６２ａ、揮発性メモリであるＲＡＭ（Random Access Memory）１６２ｂ等の各種メモリを備えている。また、ＲＯＭ１６２ａには、本発明の入力支援プログラムＰＲＧ等の各種プログラム及びデータが記録されている。
【００４５】
ＲＯＭ１６２ａとしては、ＨＤＤ（Hard Disk Drive）等の磁気記録機構、ＳＳＤ（Solid State Disk）等の不揮発性半導体記録機構等の不揮発性メモリが用いられる。ＲＡＭ１６２ｂとしては、ＳＤＲＡＭ（Synchronous Dynamic Random Access Memory）、ＳＲＡＭ（Static Random Access Memory）等の揮発性メモリが用いられる。なお、ＲＯＭ１６２ａには、本発明の入力支援プログラムＰＲＧだけでなく、様々な処理を実行する様々なアプリケーションプログラム及びデータが記録されている。
【００４６】
さらに、ＲＯＭ１６２ａの記録領域の一部は、学習用コンテンツ、辞書用コンテンツ等の各種コンテンツＣを記録するデータベースＤＢとして用いられている。学習用コンテンツ、辞書用コンテンツ等の各種コンテンツＣには、例えば、見出し語の検索に必要な検索機能が設けられている。
【００４７】
また、ＲＡＭ１６２ｂの記録領域の一部は、制御部１６１が各種プログラムを実行する際に発生するデータを一時的に記憶するワークメモリとして用いられる。
【００４８】
そして、制御部１６１は、ＲＯＭ１６２ａに記録されている入力支援プログラムＰＲＧを読み取ってＲＡＭ１６２ｂに記憶させ、入力支援プログラムＰＲＧに含まれる各種手順を実行することにより、コンピュータは、本発明の入力支援装置１００として機能する。なお、補助記憶部１５０に、本発明の入力支援プログラムＰＲＧが記録された記録媒体ＲＥＣを挿入し、記録媒体ＲＥＣに記録されている入力支援プログラムＰＲＧを読み取って、各種手順を実行するようにしても良い。
【００４９】
次に本発明の入力支援装置１００の使用方法及び処理について説明する。図３は、本発明の入力支援装置１００の表示領域１２１ａに表示された画像の一例を示す説明図である。図３は、本発明の入力支援装置１００の初期画面として表示領域１２１ａに表示される画像の一例を示している。
【００５０】
図３に示す初期画面では、コンテンツＣの選択に用いられる画像が、コンテンツ選択アイコンｉ１として画面内に示されている。コンテンツ選択アイコンｉ１は、国語辞典用コンテンツ、漢字辞典用コンテンツ、英語辞典用コンテンツ等のコンテンツＣを示しており、所望するコンテンツＣを指定する入力を行うことにより、当該コンテンツＣを使用することが可能となる。
【００５１】
ユーザは、図３に示す初期画面から、所望するコンテンツＣを示すコンテンツ選択アイコンｉ１を指示する入力を行うことにより、コンテンツＣを使用することが可能となる。なお、図３に示す初期画面以外の画面が表示されている状態であっても、コンテンツキー１４１ｃに対する入力を行うことにより、コンテンツＣを使用することが可能となる。以下では、漢字辞典用コンテンツを指示した場合の形態を例示して説明する。
【００５２】
図４は、本発明の入力支援装置１００のコンテンツ使用開始処理の一例を示すフローチャートである。本発明の入力支援装置１００は、コンテンツＣの使用を開始する入力を受け付けて、入力支援プログラムＰＲＧ等の各種プログラムを実行する制御部１６１の制御により、コンテンツ使用開始処理の実行を開始する。
【００５３】
制御部１６１は、選択されたコンテンツＣをＲＯＭ１６２ａから読み取る（Ｓ１０１）。そして制御部１６１は、表示部１２１の表示領域１２１ａ内に、検索メニューとなる初期画面を表示し、更に、表示領域１２１ａ内で予め設定されている所定の位置に、狭小化した入力支援ウィンドウを表示する（Ｓ１０２）。
【００５４】
ステップＳ１０２にて表示される検索メニューには、検索語を入力する文字入力領域が示されるようになっており、文字入力領域の表示を開始した場合には、文字の入力を支援する入力支援ウィンドウが狭小化したアイコン状態で表示される。
【００５５】
このようにして、コンテンツ使用開始処理が実行される。
【００５６】
図５は、本発明の入力支援装置１００の表示領域１２１ａに表示された画像の一例を示す説明図である。図５は、コンテンツ使用開始処理にて表示される画像の一例を示している。
【００５７】
図５に示す画像では、画面内の右側に起動させたコンテンツＣを示す画像として、ここでは国語辞典を示すアイコンｉ１が示されている。また、画面内の左側には、コンテンツＣの使用方法を選択するための「アルファベット略語」、「分野別小辞典」等の選択メニューが示されている。さらに、画面上方には、文字入力領域として、検索語を入力するための文字入力欄ｉｎ１、ｉｎ２が上下２段で示されている。上段の文字入力欄ｉｎ１は、見出し語を検索語として入力する場合の入力欄であり、文字入力欄ｉｎ１には「日本語」との説明がなされている。下段の文字入力欄ｉｎ２は、見出し語に対応する意味等の内容を検索語として入力する場合の入力欄であり、文字入力欄ｉｎ２には、「逆引語」との説明がなされている。
【００５８】
さらに、国語辞典を示すアイコンｉ１の左下に、狭小化した入力支援ウィンドウｉｓ２（以下、必要に応じて入力支援アイコンｉｓ２という）が示されている。入力支援アイコンｉｓ２は、後述する入力支援ウィンドウｉｓ１を狭小化したアイコンであり、文字入力欄ｉｎ１、ｉｎ２等の文字入力領域の表示を開始する際に、表示領域１２１ａ内の所定の位置に表示される。図５に示す例では、国語辞典を示すアイコンｉ１の左下が所定の位置となる。なお、入力支援ウィンドウｉｓ１は、狭小化したアイコン状態では文字入力を支援することはできない。
【００５９】
ユーザは、アイコン状態に狭小化した入力支援ウィンドウｉｓ２の表示位置を変更させる操作を行うことができる。入力支援アイコンｉｓ２の位置を変更させる操作として、ユーザは、入力支援アイコンｉｓ２を、指又は入力具１３０にて触れることにより、入力支援アイコンｉｓ２を指定する。そして、ユーザは、触れた状態を維持しながら表示領域１２１ａ上を移動させる操作を行い、所望の位置で離すことにより、いわゆるドラッグアンドドロップを行うことにより、入力支援アイコンｉｓ２の位置を変更させる
【００６０】
図６は、本発明の入力支援装置１００の入力支援アイコンｉｓ２の移動処理の一例を示すフローチャートである。入力支援アイコンｉｓ２の移動処理は、入力支援アイコンｉｓ２が表示されている状態から、ユーザが入力支援アイコンｉｓ２を指示し、ドラッグアンドドロップ等の操作を行うことにより実行される。本発明の入力支援装置１００は、ユーザの操作を受け付けて、入力支援プログラムＰＲＧ等の各種プログラムを実行する制御部１６１の制御により、入力支援アイコンｉｓ２の移動処理の実行を開始する。
【００６１】
制御部１６１は、入力部１２２により、入力支援アイコンｉｓ２を指示する入力を受け付ける（Ｓ２０１）。ステップＳ２０１は、ユーザが指又は入力具１３０にて、表示領域１２１ａ内の入力支援アイコンｉｓ２が表示されている位置に触れたことを入力部１２２が検出することにより行われる。
【００６２】
制御部１６１は、入力部１２２により、指示された入力支援アイコンｉｓ２を移動させる操作を受け付け（Ｓ２０２）、受け付けた操作に基づいて、入力支援アイコンｉｓ２を移動し、表示位置を変更する（Ｓ２０３）。
【００６３】
ステップＳ２０２〜Ｓ２０３は、ユーザが指又は入力具１３０にて接触し、ドラッグしていることを入力部１２２が検出することにより行われる。すなわち入力部１２２が、入力具１３０等により、指示されている位置が、第１方向に第１距離だけ接触しながら移動したことを検出した場合、入力支援アイコンｉｓ２の表示位置を第１方向に第１距離だけ移動させる。
【００６４】
このようにして入力支援アイコンｉｓ２の移動処理が実行される。
【００６５】
図７は、本発明の入力支援装置１００の表示領域１２１ａに表示された画像の一例を示す説明図である。図７は、図５に示す画像から、入力支援アイコンｉｓ２の移動処理により、入力支援アイコンの表示位置を変更した後の画像の一例を示している。
【００６６】
図７に示す画像では、入力支援アイコンｉｓ２が、表示領域１２１ａ内の右下隅の位置に移動されている。入力支援ウィンドウｉｓ１は、狭小化して入力支援アイコンｉｓ２とすることにより、表示時及び移動時において、表示領域１２１ａ内で占める大きさが小さいため、他の画像を視認する上での大きな障害となることはない。そして、ユーザは、所定の操作、例えば、入力支援アイコンｉｓ２に対する連続指示操作（ダブルクリック）、文字入力欄ｉｎ１、ｉｎ２を指示する操作等の所定の操作を行うことにより、入力支援アイコンｉｓ２を入力支援ウィンドウｉｓ１に復元させることができる。
【００６７】
図８は、本発明の入力支援装置１００の入力支援ウィンドウｉｓ１の復元処理の一例を示すフローチャートである。入力支援ウィンドウｉｓ１の復元処理は、入力支援アイコンｉｓ２が表示されている状態から、ユーザが所定の操作を行うことにより実行される。本発明の入力支援装置１００は、ユーザの操作を受け付けて、入力支援プログラムＰＲＧ等の各種プログラムを実行する制御部１６１の制御により、入力支援ウィンドウｉｓ１の復元処理の実行を開始する。
【００６８】
制御部１６１は、入力部１２２により、入力支援アイコンｉｓ２から入力支援ウィンドウｉｓ１を復元する操作を受け付ける（Ｓ３０１）。ステップＳ３０１は、ユーザによる所定の操作、例えば、指又は入力具１３０にて、文字入力欄ｉｎ１が表示されている位置に触れたことを入力部１２２が検出することにより行われる。
【００６９】
制御部１６１は、復元させる操作に基づいて、入力支援アイコンｉｓ２の大きさを基準サイズに復元し（Ｓ３０２）、大きさを復元した入力支援ウィンドウｉｓ１の全体を表示領域１２１ａ内に表示すべく、復元した入力支援ウィンドウｉｓ１の表示位置を調整する（Ｓ３０３）。
【００７０】
ステップＳ３０２では、狭小化した入力支援ウィンドウｉｓ２（入力支援アイコンｉｓ２）を、本来の大きさである基準サイズの入力支援ウィンドウｉｓ１に復元する。入力支援ウィンドウｉｓ１は、原則として、復元前の入力支援アイコンｉｓ２の左上隅の座標を基点とし、復元した入力支援ウィンドウｉｓ１の左上隅の座標が、その基点の座標と一致する位置に復元される。ただし、入力支援アイコンｉｓ２は、表示されている画像を視認する上で、邪魔にならない位置、例えば、表示領域の右下隅に移動されている場合がある。その場合、原則通り入力支援アイコンｉｓ２における左上隅の座標を基点として復元すると、入力支援ウィンドウｉｓ１の大部分が表示領域１２１ａからはみ出してしまうことになる。すなわち、入力支援ウィンドウｉｓ１が必要な状況であるにも関わらず、入力支援ウィンドウｉｓ１の必要な領域が表示されないという状況が発生し得る。そこで、ステップＳ２０３では、復元した入力支援ウィンドウｉｓ１の全体が表示領域１２１ａ内に入るように表示位置の調整が行われる。なお、例えば、復元前の入力支援アイコンｉｓ２が表示領域１２１ａの中央近傍に位置し、その位置の座標を基点として復元しても入力支援ウィンドウｉｓ１が表示領域１２１ａからはみ出すことがない場合、ステップＳ３０３の処理は実行されない。
【００７１】
このようにして入力支援ウィンドウｉｓ１の復元処理が実行される。
【００７２】
図９は、本発明の入力支援装置１００の表示領域１２１ａに表示された画像の一例を示す説明図である。図９は、図７に示す画像から、入力支援ウィンドウｉｓ１の復元処理により、入力支援ウィンドウｉｓ１を基準サイズに復元した後の画像の一例を示している。
【００７３】
ここで入力支援ウィンドウｉｓ１について説明する。本願において入力支援ウィンドウ（入力支援窓）ｉｓ１とは、文字入力欄ｉｎ１、ｉｎ２への文字の入力を支援すべく表示領域１２１ａ内に表示する窓状の画像であり、表示領域１２１ａに表示している他の画像と異なるレイヤとして重畳表示される。入力支援ウィンドウｉｓ１は、いわゆる「ウィンドウ」と呼ばれるマンマシンインターフェースとしての機能を有し、本発明に係る入力支援装置１００においては、ユーザからの入力に対するインターフェースとして表示領域１２１ａ内に表示される。
【００７４】
図９に示す画像では、四角形状をなし、予め設定されている基準サイズの入力支援ウィンドウｉｓ１が表示領域１２１ａ内に表示されている。なお、図７では、入力支援アイコンｉｓ２が表示領域１２１ａ内の右下隅に位置していたが、復元に際し、位置の調整が行われ、入力支援ウィンドウｉｓ１の全体が表示領域１２１ａ内に表示されている。入力支援ウィンドウｉｓ１は、表示領域１２１ａ内に表示している画像上に重畳表示されるため、復元した基準サイズの入力支援ウィンドウｉｓ１の下層レイヤに位置する画像は、ユーザから視認できない状態となっている。
【００７５】
入力支援ウィンドウｉｓ１は、文字入力欄ｉｎ１、ｉｎ２への文字の入力を支援する機能を有し、入力支援装置１００は、入力支援ウィンドウｉｓ１内の位置の指示を入力部１２２から受け付け、受け付けた指示に基づいて入力する文字を決定する。図９に示す入力支援ウィンドウｉｓ１は、いわゆる手書き入力用のウィンドウである。入力支援ウィンドウｉｓ１の上部に位置する一辺は、タイトルバーｗ１となっており、タイトルバーｗ１には、「日本語入力」という名称、入力方法切替のための画像ｗ２、及び狭小化するための画像ｗ３が表示されている。タイトルバーの下方には、手書き入力に際して認識した文字を表示する表示欄ｗ４、及び認識する文字を決定するために必要な「採用」、「後退」、「手動切替」、「認識」、「書き直し」等の各種命令が示された画像ｗ５が示されている。入力支援ウィンドウｉｓ１の中央から下方にかけては手書き入力を行うための手書き入力領域ｗ６が示されている。
【００７６】
ユーザは、手書き入力領域ｗ６内の位置を、例えば、指又は入力具１３０にて指示し、指示した位置を移動させることにより、その位置の軌跡に基づいて手書き入力が行われる。また、ユーザは、手書き入力に際し、各種命令が示された画像ｗ５を指示する入力を行うことにより、入力する文字を決定することができる。なお、入力方法切替のための画像ｗ２を指示する入力を行うことにより、入力方法の切替、例えば、手書き入力からキーボード入力への切替が行われ、入力支援ウィンドウｉｓ１のレイアウトが変更される。また、ユーザは、狭小化するための画像ｗ３を指示する入力を行うことにより、入力支援ウィンドウｉｓ１は狭小化される。
【００７７】
図１０は、本発明の入力支援装置１００の手書き入力処理の一例を示すフローチャートである。手書き入力処理は、図９に示す手書き入力用の入力支援ウィンドウｉｓ１が表示されている状態からの文字の入力を支援する処理である。ユーザが、例えば、入力支援ウィンドウｉｓ１の手書き入力領域ｗ６内の位置を、入力具１３０等により指示し、指示した位置を移動させることにより、手書き入力が行われる。本発明の入力支援装置１００は、ユーザの操作を受け付けて、入力支援プログラムＰＲＧ等の各種プログラムを実行する制御部１６１の制御により、手書き入力処理の実行を開始する。
【００７８】
制御部１６１は、入力部１２２により、手書き入力領域ｗ６内で指示された位置が移動した軌跡の入力を受け付け（Ｓ４０１）、受け付けた軌跡に基づいて文字認識を行い（Ｓ４０２）、候補となる文字を表示欄ｗ４に表示する（Ｓ４０３）。ステップＳ４０２では、文字認識として、例えば、予めＲＯＭ１６２ａに記録されている文字データベースに記録された文字の特徴と、入力された軌跡とを比較し、例えば、それらの尤度に基づいて入力の候補となる文字を判定する。そして、ステップＳ４０３として、判定結果に基づく候補を表示欄ｗ４に表示する。ユーザは、表示された候補を確認し、「採用」、「後退」、「手動切替」、「認識」、「書き直し」等の各種命令が示された画像ｗ５を指示することにより、入力する文字を決定する。
【００７９】
制御部１６１は、入力部１２２により、入力する文字を決定する命令を受け付け（Ｓ４０４）、受け付けた命令に基づいて入力する文字を決定し（Ｓ４０５）、決定した文字を、指定されている文字入力欄ｉｎ１等の入力領域に表示する（Ｓ４０６）。
【００８０】
このようにして手書き入力処理が実行される。
【００８１】
また、ユーザは、基準サイズの入力支援ウィンドウｉｓ１が表示された図９に示す状態から、入力支援ウィンドウｉｓ１の位置を移動させることができる。ユーザは、入力支援ウィンドウｉｓ１を移動させる場合、入力支援ウィンドウｉｓ１の一部、例えば、タイトルバーｗ１を、指又は入力具１３０にて触れることにより、入力支援ウィンドウｉｓ１を指定する。そして、ユーザは、触れた状態を維持しながら表示領域１２１ａ上を移動させる操作を行い、所望の位置で離すことにより、いわゆるドラッグアンドドロップを行うことにより、入力支援ウィンドウｉｓ１の位置を変更させる。
【００８２】
図１１は、本発明の入力支援装置１００の入力支援ウィンドウｉｓ１の移動処理の一例を示すフローチャートである。入力支援ウィンドウｉｓ１の移動処理は、図９に示す入力支援ウィンドウｉｓ１が表示されている状態から、入力支援ウィンドウｉｓ１を指示し、ドラッグアンドドロップ等の操作を行うことにより実行される。本発明の入力支援装置１００は、ユーザの操作を受け付けて、入力支援プログラムＰＲＧ等の各種プログラムを実行する制御部１６１の制御により、入力支援ウィンドウｉｓ１の移動処理の実行を開始する。
【００８３】
制御部１６１は、入力部１２２より、入力支援ウィンドウｉｓ１を指示する入力を受け付ける（Ｓ５０１）。ステップＳ５０１は、ユーザが指又は入力具１３０にて、表示領域１２１ａ内の入力支援ウィンドウｉｓ１が表示されている位置に触れたことを入力部１２２が検出することにより行われる。
【００８４】
制御部１６１は、入力部１２２により、指示された入力支援ウィンドウｉｓ１を移動させる操作を受け付け（Ｓ５０２）、基準サイズの入力支援ウィンドウｉｓ１により重畳される画像を可視化し（Ｓ５０３）、入力支援ウィンドウｉｓ１を移動させ、表示位置を変更する（Ｓ５０４）。
【００８５】
ステップＳ５０３の可視化とは、基準サイズの入力ウィンドウｉｓ１を通常表示した場合には、下層のレイヤとなり隠れてしまう画像を視認可能な状態とすることを示すものであり、可視化の方法としては、様々な方法を例示することができる。例えば、入力支援ウィンドウｉｓ１の一部を非表示とすることにより、具体的には、入力支援ウィンドウｉｓ１の一辺であるタイトルバーｗ１のみを表示することにより、本来重畳される下層のレイヤに係る画像を可視化することができる。
【００８６】
そして、制御部１６１は、入力部１２２により、移動が完了したことを示す操作を受け付け（Ｓ５０５）、基準サイズの入力支援ウィンドウｉｓ１を復元し（Ｓ５０６）、復元した入力支援ウィンドウｉｓ１を移動が完了した位置に表示する（Ｓ５０７）。
【００８７】
ステップＳ５０５の移動が完了したことを示す操作とは、例えば、所望の位置で入力具１３０等を離す操作、いわゆるドロップ操作を示す。ステップＳ５０２〜Ｓ５０７にて示すように、制御部１６１は、ユーザの入力操作に基づいて、入力支援ウィンドウｉｓ１を移動する間、基準サイズの入力支援ウィンドウｉｓ１により重畳される画像を可視化し、移動が完了した段階で、元の基準サイズの入力支援ウィンドウｉｓ１に復元する。
【００８８】
ユーザは、入力支援ウィンドウｉｓ１以外の他の画像を確認しながら入力を行いたい場合に、他の画像が視認可能な位置に入力支援ウィンドウｉｓ１を移動させることになる。このような場合、移動に際し、他の画像の表示内容を視認しながら移動させる必要が生じる。しかしながら、入力支援ウィンドウｉｓ１を狭小化すると、復元後の入力支援ウィンドウｉｓ１の大きさを考慮しながら移動させることが困難となるため、移動後に復元した入力支援ウィンドウｉｓ１により、必要な画像が隠れる恐れがある。そこで、復元後の入力支援ウィンドウｉｓ１にて隠れる領域を考慮しつつ、他の画像を視認しながら移動させるために、例えば、入力支援ウィンドウｉｓ１の一辺であるタイトルバーｗ１のみを表示することにより、重畳される画像を可視化する。これにより、表示領域１２１ａに表示されている画像を視認しながら、入力支援ウィンドウｉｓ１を移動させることができるので、適切な位置に入力支援ウィンドウｉｓ１を配置することが可能となる。
【００８９】
なお、ここでは、入力支援ウィンドウｉｓ１の移動処理として、移動処理及び可視化する処理を連続して実行するシーケンシャル処理として記載したが、移動処理と、可視化する処理とを並行して実行するパラレル処理として実現するようにしてもよい。このようにして、入力支援ウィンドウｉｓ１の移動処理が実行される。
【００９０】
図１２及び図１３は、本発明の入力支援装置１００の表示領域１２１ａに表示された画像の一例を示す説明図である。図１２は、図９に示す状態から、入力支援ウィンドウｉｓ１を矢印にて示すように移動させている状態の画像の一例を示し、図１３は、移動が完了した状態の画像の一例を示している。
【００９１】
図１２に示す画像は、移動中の入力支援ウィンドウｉｓ１の一例として、入力支援バーｉｓ３を示している。入力支援バーｉｓ３とは、四角形状をなす入力支援ウィンドウｉｓ１の一辺であるタイトルバーｗ１のみを表示した状態である。入力支援ウィンドウｉｓ１を入力支援バーｉｓ３とすることにより、基準サイズの入力支援ウィンドウｉｓ１を通常表示した場合には、隠れてしまう位置の画像を視認することが可能となる。また、入力支援バーｉｓ３は、入力支援ウィンドウｉｓ１の一辺であることから、復元された場合の入力支援ウィンドウｉｓ１の大きさを想定することができる。そして、図１３に示すように、移動が完了後、基準サイズの入力支援ウィンドウｉｓ１が復元される。
【００９２】
入力支援ウィンドウｉｓ１にて手書き入力を行い、入力した手書き文字の認識中に移動させる場合であっても、入力支援バーｉｓ３に表示が変更される。ただし、表示状態が入力支援バーｉｓ３になるだけであり、認識処理は継続して実行される。従って、入力支援バーｉｓ３の状態で移動が完了し、入力支援ウィンドウｉｓ１に復元した場合に、認識処理が終了し、認識結果を表示しているという状況も生じる。なお、移動中は認識処理のみを行い、復元後、０．１秒等の所定時間をおいてから認識結果を表示するようにしてもよく、このようにすることでユーザに違和感を与えることのないインターフェースを提供することができる。
【００９３】
図１４及び図１５は、本発明の入力支援装置１００の表示領域１２１ａに表示された画像の一例を示す説明図である。図１４は、図９に示す状態から、入力支援ウィンドウｉｓ１を矢印にて示すように移動させている状態の画像の一例を示し、図１５は、移動が完了した状態の画像の一例を示している。
【００９４】
図１４及び図１５は、図１２及び図１３と同様に、入力支援ウィンドウｉｓ１が移動中に入力支援バーｉｓ３となる状況、及び移動完了後に入力支援ウィンドウｉｓ１が復元された状況を示している。ただし、図１４では、入力支援バーｉｓ３の一部が、表示領域１２１ａの外へはみ出した状態を示しており、はみ出した部分が表示されていない。図１５では、入力支援バーｉｓ３の一部がはみ出した状態で入力支援ウィンドウｉｓ１が復元された状態を示したものであり、復元された入力支援ウィンドウｉｓ１も、その一部が表示領域１２１ａの外にはみ出し、はみ出した部分が表示されていない。入力支援バーｉｓ３から入力支援ウィンドウｉｓ１を復元する場合、入力支援アイコンｉｓ２の場合と異なり、入力支援ウィンドウｉｓ１の全体が表示領域１２１ａ内に表示されるように表示位置を調整することは行わない。入力支援バーｉｓ３の場合は、ユーザが復元された状態を想定しながら、移動させると考えられるので、表示位置を調整すると、却ってユーザの意図に反することになるからである。
【００９５】
次に、本発明の入力支援装置１００において、表示方向を変更する処理について説明する。前述した各表示例においては、矩形状の表示領域１２１ａの長辺を水平に、短辺を垂直にした横長の画面に表示する形態について説明した。本発明の入力支援装置１００は、横長の画面に表示させている状態から、自動又は手動で縦長の画面に表示するように表示方向を変更することができる。
【００９６】
図１６は、本発明の入力支援装置１００の表示方向変更処理の一例を示すフローチャートである。表示方向変更処理は、図７に示す画像の状態から、表示方向を変更する入力する受け付けた場合に実行される。本発明の入力支援装置１００は、表示方向を変更する入力を受け付けて、入力支援プログラムＰＲＧ等の各種プログラムを実行する制御部１６１の制御により、表示方向変更処理の実行を開始する。
【００９７】
制御部１６１は、表示方向を変更する入力を受け付ける（Ｓ６０１）。
【００９８】
ステップＳ６０１において、制御部１６１は、方向検出部１７０又は入力キー１４１若しくは入力部１２２から表示方向を変更する入力を受け付ける。方向検出部１７０は、例えば、自装置に加わる加速度を検出し、検出した加速度より、入力支援装置１００の垂直／水平方向に変化が生じたか否かを判定する。そして、変化が生じていると判定した場合に、そのことを示す信号を制御部１６１へ出力する。制御部１６１は、方向検出部１７０から出力された信号の入力を、表示方向を変更する入力として受け付けるのである。また、ユーザが、入力キー１４１又は入力部１２２を操作して、表示方向を変更させる操作を行った場合、そのことを示す信号が入力キー１４１又は入力部１２２から制御部１６１へ出力される。制御部１６１は、入力キー１４１又は入力部１２２から出力された信号の入力を、表示方向を変更する入力として受け付けるのである。なお、表示方向の変更を行う契機となる信号を、入力キー１４１又は入力部１２２から出力される信号のみに制限するようにしてもよい。外部の振動等の要因により、方向検出部１７０から信号が出力され、ユーザが意図しない状況下で、表示方向が自動的に変更させることを防止するためである。
【００９９】
表示方向を変更する入力を受け付けた制御部１６１は、方向変更後の表示方法に即して表示領域１２１ａにおける表示の向きを変更し（Ｓ６０２）、更に、表示領域１２１ａ内で予め設定されている所定の位置に、入力支援アイコンｉｓ２を表示する（Ｓ６０３）。方向変更及び入力支援アイコン（狭小化した入力支援ウィンドウ）ｉｓ２の所定位置への表示は、入力支援ウィンドウｉｓ１が狭小化している場合にのみ実行する。基準サイズの入力支援ウィンドウｉｓ１が表示されている場合又は入力支援バーｉｓ３の状態においては、ユーザが文字の入力を意図している状況下であると考えられるので、ユーザが意図的に表示方向を変更するとは考え難いからである。ただし、このような制約は設定により自由に変更することができるようにしてもよい。例えば、どのような状態であっても、表示方向を変更した場合には、入力支援ウィンドウｉｓ１を狭小化し、所定位置に入力支援アイコンｉｓ２として表示するようにしてもよい。
【０１００】
このようにして表示方向変更処理が実行される。
【０１０１】
図１７は、本発明の入力支援装置１００の表示領域１２１ａに表示された画像の一例を示す説明図である。図１７は、図７に示す状態から、縦長の画面に表示方向を変更した状態の画像の一例を示している。図１７に示すように、図７に示した画像が縦長の画像として表示されており、入力支援アイコンｉｓ２が、表示領域１２１ａ内の所定の位置に表示されている。図１７に示す例では、国語辞典を示すアイコンｉ１の左下が所定の位置となる。このように、表示の向きを変更後、所定の位置に入力支援アイコンｉｓ２を表示することにより、ユーザの利便性を高めることが可能となる。
【０１０２】
前記実施の形態は、本発明の無数に存在する実施例の一部を開示したに過ぎず、目的、用途、仕様等の様々な要因を加味して適宜設計することが可能である。
【０１０３】
例えば、前記実施の形態では、入力支援ウィンドウの一辺を入力支援バーとして表示することにより、重畳される画像を可視化する例を示したが、本発明はこれに限るものではない。例えば、入力支援ウィンドウを半透明の表示とすることにより、重畳される画像を可視化するようにしてもよい。また、入力支援ウィンドウの外枠となる外縁のみを表示することにより、重畳される画像を可視化するようにしてもよい。
【０１０４】
また、前記実施の形態では、入力支援ウィンドウとして、手書き入力用の画像を表示する形態を示したが、本発明はこれに限るものではない。例えば、入力支援ウィンドウとして、キーボードを模した画像を表示し、その画像に対してユーザが指示した位置のキーが押下されたものとして入力を受け付けることにより、文字入力を支援するようにしてもよい。
【０１０５】
さらに、前記実施の形態では、専用の電子辞書等の入力支援装置を本発明の入力支援装置とする形態について説明したが、本発明はこれに限るものではない。すなわち、本発明の入力支援プログラムを実行することができるのであれば、パーソナルコンピュータ、携帯電話、その他の携帯型電子機器等の様々な電子機器を本発明の入力支援装置とすることが可能である。また、入力支援プログラムは、前記実施の形態で示した記録媒体からの読み取りに限らず、インターネット等の通信網上のサーバコンピュータからダウンロードするようにしてもよく、更には、プログラム等のソフトウェアではなくハードウェアとして搭載するようにしてもよい。
【符号の説明】
【０１０６】
１００  入力支援装置
１２０  表示入力部
１２１  表示部
１２１ａ  表示領域
１２２  入力部
１３０  入力具
１４０  操作部
１６０  制御ユニット
１６１  制御部
１６２  記録部
１７０  方向検出部
Ｃ  コンテンツ
ｉｓ１  入力支援ウィンドウ（入力支援窓）
ｉｓ２  入力支援アイコン（狭小化した入力支援ウィンドウ）
ｉｓ３  入力支援バー
ＰＲＧ  入力支援プログラム
ＲＥＣ  記録媒体
【図１】
2014021621.tif 000003
【図２】
2014021621.tif 000004
【図３】
2014021621.tif 000005
【図４】
2014021621.tif 000006
【図５】
2014021621.tif 000007
【図６】
2014021621.tif 000008
【図７】
2014021621.tif 000009
【図８】
2014021621.tif 000010
【図９】
2014021621.tif 000011
【図１０】
2014021621.tif 000012
【図１１】
2014021621.tif 000013
【図１２】
2014021621.tif 000014
【図１３】
2014021621.tif 000015
【図１４】
2014021621.tif 000016
【図１５】
2014021621.tif 000017
【図１６】
2014021621.tif 000018
【図１７】
2014021621.tif 000019
【図１８】
2014021621.tif 000020